(57)【要約】【課題】  湯量を減らすことなく足湯を行うことができ、また底に座った姿勢で全身浴できると共に、腰掛けた姿勢での半身浴もでき、全身浴時のスペースを狭めることなく、全身浴時に必要な湯量も確保できるようにする。【解決手段】  全身浴をするために入浴者１が座る底面部２から半身浴用の腰掛け３を立ち上げる。腰掛け３の上面に足を置いて足湯を行うための座部４を、腰掛け３の上面から凸段差状に形成する。この場合、座部４の背凭れ４ａを、水位の上限である側壁５の上端面５ａより高く形成するのが好ましい。【選択図】  図１
2010220934.tif 000002
【特許請求の範囲】
【請求項１】
全身浴をするために入浴者が座る底面部から半身浴用の腰掛けが立ち上げられている浴槽であって、上記の腰掛けの上面に足を置いて足湯を行うための座部が、腰掛けの上面から凸段差状に形成されていることを特徴とする足湯機能付き浴槽。
【請求項２】
請求項１記載の足湯機能付き浴槽であって、座部の背凭れが、水位の上限である側壁の上端面より高く形成されていることを特徴とする足湯機能付き浴槽。
【請求項３】
請求項１又は２記載の足湯機能付き浴槽であって、腰掛け及び座部の両側の対向する両側壁部が、水位の上限である側壁の上端面より高く形成されていることを特徴とする足湯機能付き浴槽。
【請求項４】
請求項１記載の足湯機能付き浴槽であって、底面部、腰掛け及び座部の両側の対向する両側壁が、底面部の側より座部の側が高い状態で傾斜状に形成されていることを特徴とする足湯機能付き浴槽。
【請求項５】
請求項１乃至４の何れかに記載の足湯機能付き浴槽であって、腰掛けの両側の上面に、足湯を行うときの足置き部が凹み状に形成されていることを特徴とする足湯機能付き浴槽。
【請求項６】
請求項１乃至５の何れかに記載の足湯機能付き浴槽であって、腰掛け及び座部の両側と、この腰掛け及び座部の両側と対向する浴槽側壁部との間が、底面部に入浴者が座って全身浴するときに足を差し入れるための足入れスペースに形成されていることを特徴とする足湯機能付き浴槽。
【請求項７】
請求項１乃至５の何れかに記載の足湯機能付き浴槽であって、腰掛けの両側と、この腰掛けの両側と対向する浴槽側壁部との間が、底面部に入浴者が座って全身浴するときに足を差し入れるための足入れスペースに形成されていることを特徴とする足湯機能付き浴槽。
【発明の詳細な説明】
【技術分野】
【０００１】
本発明は、浴槽に関し、更に詳しくは足湯（足を湯に浸して温める入浴方法）が可能になるよう形成した足湯機能付き浴槽に関するものである。
【背景技術】
【０００２】
従来この種の浴槽としては、例えば特許文献１に記載されているものがある。
この従来品は、着衣のまま足湯が可能になるよう、浴槽内を、上段、中断、下段の三層構造にし、腰掛け用の上段と、足置き用の中段との間の下段部に、給湯口と足湯専用排水口を備えた足湯装置を設けているものである。
【０００３】
この従来品は、足湯、半身浴（半身を湯に浸す入浴方法）、及び全身浴（全身を湯に浸して入浴する方法）の全てを、上段に座った姿勢で行うものである。
従ってこれによると、入浴者が身障者等の場合は適しても、例えば湯船の底に座っての全身浴ができない等、健常者にとっては使い勝手が悪いものであった。
【０００４】
また従来、全身浴と共に半身浴を行うことができる浴槽としては、例えば特許文献２に記載されているものがある。
この従来品は、矩形の浴槽において、一方に腰掛け用の深い段部を、反対側に足置き用の浅い段部を設けているものである。
【０００５】
しかしながら、この従来品で全身浴の後、足湯を行う場合は、湯を減らし、最深部だけに湯を張る必要がある（この点は、文献１の場合も同様）。
従って、文献１、２の従来品によっては、入浴者が足湯をしたくても、後から未だ入浴する人がいるときは、それが適わないのが実情であった。
【０００６】
また文献２の従来品は、全身浴時の湯量を、足置き用の浅い段部が浴槽内に占める容積分だけ減らすことができるものの、反面、この段部によって全身浴用のスペースを狭小化させる、という問題があった。
【先行技術文献】
【特許文献】
【０００７】
【特許文献１】特開２００４−３１３７２４号公報
【特許文献２】実開平２−１１９８８５号公報
【発明の概要】
【発明が解決しようとする課題】
【０００８】
本発明は、このような従来の実情に鑑み、提案されたものである。
従って本発明の解決しようとする技術的課題は、湯量を減らすことなく足湯を行うことができ、また底に座った姿勢で全身浴できると共に、腰掛けた姿勢での半身浴もでき、また全身浴時のスペースを狭めることなく、全身浴時に必要な湯量も確保できるよう形成した足湯機能付き浴槽を提供することにある。
【課題を解決するための手段】
【０００９】
本発明は、上記の課題を解決するため、次のような技術的手段を採る。
即ち本発明は、図１等に示されるように、全身浴をするために入浴者１が座る底面部２から半身浴用の腰掛け３が立ち上げられている浴槽であって、上記の腰掛け３の上面に足を置いて足湯を行うための座部４が、腰掛け３の上面から凸段差状に形成されていることを特徴とする（請求項１）。
【００１０】
この場合、座部４の背凭れ４ａは、水位の上限である側壁５の上端面５ａより高く形成されているのが好ましい（請求項２）。
なぜならこれによると、背凭れ４ａに寄りかかったリラックスした姿勢で快適に足湯を行うことができるからである。
【００１１】
また本発明は、図３等に示されるように、腰掛け３及び座部４の両側の対向する両側壁部５ｂが、水位の上限である側壁５の上端面５ａより高く形成されているのが好ましい（請求項３）。
なぜならこれによると、例えば両側壁部５ｂに手をついて安全な姿勢で入浴姿勢を変えることができ、また足湯時は両側壁部５ｂの上面に腕を載せ、この上面をアームレストとして使用できるからである。またこれによると、両側壁部５ｂの側より、側壁５の上端面５ａの側が低くなるため、例えば両側壁部５ｂの内側の腰掛け３等に足をとられて滑ることなく、側壁５の上端面５ａの側を跨いで浴槽への出入りを安全にできるからである。
【００１２】
また本発明は、図５等に示されるように、底面部２、腰掛け３及び座部４の両側の対向する両側壁が、底面部２の側より座部４の側が高い状態で傾斜状に形成されているのが好ましい（請求項４）。
なぜならこれによると、例えば足湯時に両側壁５の上端面５ａに手をつき易くなり、またこの箇所に腕を載せてアームレストとしても利用し易くなるからである。またこれによると、浴槽の開口上面を蓋で塞ぐとき、隙間を生じさせることなく、風呂蓋を平面的に載置して閉塞できるからである。
【００１３】
また本発明は、図３等に示されるように、腰掛け３の両側の上面に、足湯を行うときの足置き部７が凹み状に形成されているのが好ましい（請求項５）。
なぜならこれによると、足湯を行うとき、足置き部７によって足を滑らすことなく、安全に入浴できるからである。
【００１４】
また本発明は、図７、図８に示されるように、腰掛け３及び座部４の両側と、この腰掛け３及び座部４の両側と対向する浴槽側壁部５ｂとの間が、底面部２に入浴者１が座って全身浴するときに足を差し入れるための足入れスペース８に形成されているのが好ましい（請求項６）。
なぜならこれによると、全身浴時に、足を腰掛け３より低い位置の足入れスペース８に配置して快適に入浴できるからである。
【００１５】
またこの場合、本発明は、図９、図１０に示されるように、腰掛け３の両側と、この腰掛け３の両側と対向する浴槽側壁部５ｂとの間が、底面部２に入浴者１が座って全身浴するときに足を差し入れるための足入れスペース８に形成されているのでも良い（請求項７）。
なぜならこれによると、上例と同様、全身浴時に、足を腰掛け３より低い位置の足入れスペース８に置いて楽な姿勢で快適に入浴できるからである。
【発明の効果】
【００１６】
本発明は、このように全身浴用の底面部から半身浴用の腰掛けが立ち上げられ、この腰掛けの上面に、足湯用の座部が凸段差状に形成されているものである。
従ってこれによると、全身浴用のスペースを狭めることなく、底面部に座って全身浴でき、また腰掛けた姿勢で半身浴、及び足湯を行うことができ、足湯のときでも湯量を減らす必要がない、という利点がある。
またこれによれば、足湯用の座部が浴槽内に占めるスペース分、全身浴時に必要な湯量の節減化を図ることができる。
【図面の簡単な説明】
【００１７】
【図１】本発明の浴槽の好適な一実施形態を示す斜視図である。
【図２】A〜Dとも、同上浴槽の使用例を説明するための縦断面図である。
【図３】同上浴槽の他の実施例を示す斜視図である。
【図４】図３の浴槽の縦断面図である。
【図５】同上浴槽の他の実施例を示す斜視図である。
【図６】図５の浴槽の縦断面図である。
【図７】同上浴槽の他の実施例を示す斜視図である。
【図８】図７の浴槽の縦断面図である。
【図９】同上浴槽の更に他の実施例を示す斜視図である。
【図１０】図９の浴槽の縦断面図である。
【発明を実施するための形態】
【００１８】
以下、本発明を実施するための形態を、添付図面に基づいて具体的に説明する。
【実施例１】
【００１９】
本発明の浴槽は、図１等に示されるように、全身浴をするために入浴者１が座る底面部２から半身浴用の腰掛け３が立ち上げられて形成されている。浴槽の形状は、この実施例では平面視で矩形に形成されている。
【００２０】
４は、腰掛け３の上面に足を置いて足湯を行うための座部である。この座部４は、腰掛け３の上面から凸段差状に形成されている。座部４と腰掛け３とは、この実施例では浴槽の短幅方向に延びて両側壁５の位置まで長く形成されている。
【００２１】
また座部４の背凭れ４ａは、水位の上限である側壁５の上端面５ａより高く形成されている。上端面５ａは、フランジ状に形成されている。
なお、本発明の場合、腰掛け３や座部４の高さ、また座部４の背凭れ４ａの高さは、浴槽のサイズや形状に応じて適宜選定されるので良いが、半身浴を行うためには、通常、腰掛け３の高さは１００ｍｍ以上とる必要があり、また足湯時の膝の高さと半身浴時の背凭れの高さを考慮すると、座部４の高さは１４０ｍｍ以上とし、腰掛け３の高さより座部４の高さを高くする方が好ましい。但し、この場合、浴槽の深さは、通常、５００ｍｍ程度であるので、腰掛け３と座部４の高さの合計は、３００ｍｍ以下に選定するのが良い。また本発明の場合、腰掛け３と座部４の浴槽の長手方向における長さは、例えば全長が１６００ｍｍの浴槽であれば、臀部を載せることと底面部２の長さをある程度確保する必要から、通常、２９０〜３２０ｍｍ程度に選定するのが良い。
【００２２】
次に本発明品の使用例を、図２に従って説明する。
同図A、Bに示される入浴形態は、入浴者１が全身浴するときの状態である。この場合、入浴者１は、腰掛け３の方を向いて底面部２に座り、足を腰掛け３の上面に載せて入浴する。また同図Bに示されるように、肩等を水中に没して身体を深く沈めて入浴するときは、身体が浮き上がらないよう、例えば座部４の前端４ｂに足をかけ、足を突っ張る等の姿勢をとって入浴する。なお、６は、水面を示す。
【００２３】
また半身浴するときは、同図Cに示されるように、入浴者１は、腰掛け３に座って底面部２に足を置いて入浴する。また足湯を行うときは、同図Dに示されるように、座部４に座り、例えば背凭れ４ａに背をつけ、腰掛け３の上面に足を載せて入浴する。
【実施例２】
【００２４】
また本発明は、図３等に示されるように、腰掛け３及び座部４の両側の対向する両側壁部５ｂが、水位の上限である側壁５の上端面５ａより高く形成されているのでも良い。
この実施例では、座部４の背凭れ４ａと、両側壁部５ｂとは同じ高さで、且つ夫々の上面が水平面状に連続して形成されている。そして、両側壁部５ｂの上面と、水位の上限である側壁５の上端面５ａとが、傾斜面部５ｃを介して一体状に形成されている。
【００２５】
また座部４の前端４ｂは、持ち上げられている。これは、臀部の滑り落ちを防止すると共に、腰掛け３の背凭れ部３ａの高さをある程度確保するためである。
また腰掛け３の両側の上面に、足湯を行うときに使用する足置き部７が形成されている。この足置き部７は、この実施例では足型状の凹みで形成され、排水用の溝７ａが前側に形成されている。
【００２６】
而してこの本発明品の場合は、半身浴や足湯の際に両側壁部５ｂを、例えば身体の向きを変えるときの支持部として、或いは腕休め用の箇所として使用できる。また本発明の場合は、両側壁部５ｂが、水位の上限である側壁５の上端面５ａより高いから、側壁５の上端面５ａの側から浴槽へ出入りするのが自然になり、浴槽への出入り時に腰掛け３や座部４の上面で足が滑って思わぬ怪我をするような事態を防止できる。
【実施例３】
【００２７】
また本発明は、図５等に示されるように、底面部２、腰掛け３及び座部４の両側の対向する両側壁５が、底面部２の側より座部４の側が高い状態で傾斜状に形成されているのでも良い。
この場合は、両側壁５の上面を、姿勢を転換するときの支持部として、またアームレストとして使用できる。またこれによると、両側壁５の上面が平面化するため、隙間を生じさせることなく、風呂蓋を載せることができる。
【００２８】
なお、本発明品は、図６に示されるように、腰掛け３及び座部４の上面が、底面部２の側に向かって上り傾斜状に形成されているのでも良い。
なぜならこれによれば、臀部が前方へ滑ることを防止でき、また腰掛け３の背凭れ部３ａや座部４の背凭れ４ａの高さを確保し易くなるからである。
【実施例４】
【００２９】
また本発明は、図７、図８に示されるように、腰掛け３及び座部４の両側と、この腰掛け３及び座部４の両側と対向する浴槽側壁部５ｂとの間が、底面部２に入浴者１（図８参照）が座って全身浴するときに足を差し入れるための足入れスペース８に形成されているのでも良い。
なぜならこれによると、全身浴時に足を腰掛け３に載せることなく、低い位置に配置でき、その分、快適に入浴できるからである。
足入れスペース８は、この実施例では図８に示されるように、足と接触する底面が、座部４の側が高くなるよう湾曲されている。但し、本発明の場合、この足入れスペース８の底面形状は、これに限定されるものではない。
【００３０】
また本発明は、図９に示されるように、腰掛け３の両側と、この腰掛け３の両側と対向する浴槽側壁部５ｂとの間が、底面部２に入浴者１（図１０参照）が座って全身浴するときに足を差し入れるための足入れスペース８に形成されているのでも良い。足入れスペース８の底面は、この実施例の場合も図１０に示されるように、湾曲状に形成されているが、この底面形状は、その他例えば水平面状や傾斜面状に形成されているのでも良い。
【符号の説明】
【００３１】
１      入浴者
２      底面部
３      腰掛け
４      座部
【図１】
2010220934.tif 000003
【図２】
2010220934.tif 000004
【図３】
2010220934.tif 000005
【図４】
2010220934.tif 000006
【図５】
2010220934.tif 000007
【図６】
2010220934.tif 000008
【図７】
2010220934.tif 000009
【図８】
2010220934.tif 000010
【図９】
2010220934.tif 000011
【図１０】
2010220934.tif 000012